(57)【要約】      （修正有）【課題】閉鎖位置または開放位置付近で引き戸を制動して、閉鎖位置または開放位置まで確実に低速移動させることができる引き戸の開閉動作制御構造を提供する。【解決手段】戸枠の上縁に設けられたガイドレールに沿って摺動可能に支持され引き戸の戸板の上端側に設けられるユニット部材２０を有し、ユニット部材は、フレーム部材２１に設けられた長手方向に延びるガイド溝２１ｂに沿って摺動可能であるスライド部材２２を有し、スライド部材内で、長手方向に対して垂直な横方向に延びる揺動軸２３ａの周りに揺動可能に支持される揺動レバー２３が揺動位置では係合溝内に係合し且つ非揺動位置ではガイド溝内に係合する係合軸２３ｅと、揺動位置で引き戸の閉鎖移動により、閉鎖位置の手前で戸枠に設けられたトリガー２６と当接して、揺動レバーを非揺動位置まで移動させる係合部２３ｃと、非揺動位置でトリガーの引き戸閉鎖側に係合する係合爪２３ｆと、を備える。【選択図】図２
2016142031.tif 000002
【特許請求の範囲】
【請求項１】
戸枠または戸板の一方の上縁または下縁に設けられたガイドレールに沿ってガイド部材により長手方向に摺動可能に支持され引き戸の前記戸枠または戸板の他方の上端または下端側に設けられるユニット部材を有し、
前記ユニット部材は、
フレーム部材と、
前記フレーム部材に設けられた長手方向に延びるガイド溝に沿って摺動可能であるスライド部材と、
前記スライド部材内で、長手方向に対して垂直な横方向に延びる揺動軸の周りに揺動可能に支持される揺動レバーと、
前記スライド部材を引き戸開放方向または閉鎖方向に付勢する付勢手段と、
前記スライド部材の引き戸開放方向または閉鎖方向への移動を抑制する抑制部材と、
を有しており、
前記ガイド溝が上側または下側に分岐し且つ引き戸閉鎖または開放側に向かって斜めに延びる係合溝を備えていて、
前記揺動レバーが、その揺動に伴って、揺動位置では前記係合溝内に係合し且つ非揺動位置では前記ガイド溝内に係合する係合軸と、揺動位置で引き戸の閉鎖または開放移動により、閉鎖位置または開放位置の手前で戸枠または戸板の一方に設けられたトリガーと当接して、揺動レバーを非揺動位置まで移動させる係合部と、非揺動位置で前記トリガーの引き戸閉鎖または開放側に係合する係合爪と、を備えており、
引き戸の開放または閉鎖時には、揺動レバーが揺動位置に在って、前記スライド部材が揺動レバーを介して引き戸閉鎖または開放側に係止されており、
引き戸の閉鎖または開放時に、引き戸が閉鎖位置または開放位置付近に近づくと、前記トリガーが前記揺動レバーの係合部に当たって、前記揺動レバーが非揺動位置まで揺動し、その係合軸が前記係合溝からガイド溝に脱出し、前記揺動レバーの係合爪が前記トリガーの引き戸閉鎖または開放側に係合して、前記戸枠側に固定されることにより、前記揺動レバー及び前記スライド部材が前記引き戸の閉鎖または開放動作に伴って前記ガイド溝に沿って引き戸開放または閉鎖側に相対的に摺動し、その際、前記スライド部材が前記付勢手段により押動され且つ前記抑制部材により制動され、前記引き戸が閉鎖位置または開放位置まで低速で移動する、
ことを特徴とする、引き戸の開閉動作制御構造。
【請求項２】
前記フレーム部材が、前記ガイド部材に対して一体的に取り付けられている、請求項１に記載の引き戸の開閉動作制御構造。
【請求項３】
前記係合部が、前記揺動軸より上側に配置されている、請求項１または２に記載の引き戸の開閉動作制御構造。
【請求項４】
前記ガイド溝と前記係合溝の間の継ぎ目部分が湾曲して形成されている、請求項１から３の何れかに記載の引き戸の開閉動作制御構造。
【請求項５】
前記フレーム部材が、引き戸開放または閉鎖側の端部付近に、前記ガイドレール上を転動するガイドローラを備えている、請求項１から４の何れかに記載の引き戸の開閉動作制御構造。
【請求項６】
前記ガイド溝と前記係合溝の間の継ぎ目部分の角度が鈍角に形成されている、請求項１から５の何れかに記載の引き戸の開閉動作制御構造。
【請求項７】
前記揺動軸は、前記係合溝側に向けて付勢されている、請求項１から６の何れかに記載の引き戸の開閉動作制御構造。
【発明の詳細な説明】
【技術分野】
【０００１】
本発明は、開口部に開閉可能に支持された引き戸に関し、特に閉鎖または開放時の閉鎖位置または開放位置付近での引き戸の制動機能を備えた引き戸の開閉動作制御構造に関するものである。
【背景技術】
【０００２】
従来、住宅の各室間の出入り口等の開口部を開閉するために引き戸が使用されることがある。
このような引き戸は、例えば開口部の上縁に沿って設けられたガイドレールに沿って走行するガイド部材を含む閉動作抑制構造により支持される。
引き戸は、ガイドレールに沿ってガイド部材が走行して開口部の一側または両側に向かって移動することにより、開口部を開放し、または閉鎖する。
【０００３】
そして、引き戸の開閉時に、操作性を向上させるために、開放された引き戸を自動的に閉鎖位置まで移動させる自閉手段を備えた自閉式引き戸が知られている。
このような自閉式引き戸は、例えばゼンマイを利用したり、あるいはガイドレールを閉鎖位置側で低くなるように傾斜して設置したりすることにより、外部からエネルギーを供給することなく、引き戸の自閉を実現することができる。
【０００４】
ところで、このような自閉式引き戸においては、引き戸の閉鎖時に、引き戸が自閉手段により閉鎖方向に移動することになるため、引き戸が一定の閉鎖速度で閉鎖位置に達することになる。このため、引き戸が閉鎖位置に達したとき、引き戸が戸枠に当たって、衝撃音が発生したり、場合によっては、付近に居る人が誤って手指を引き戸と戸枠の間に挟んでしまい、思わぬ負傷を被ったりする可能性があり、注意が必要であった。
このような引き戸の戸枠への衝撃は、自閉式に限らず手動式であっても、また閉鎖位置だけでなく開放位置でも生ずる可能性がある。
【０００５】
これに対して、自閉式引き戸を閉鎖位置付近で制動するようにした自閉式引き戸の閉動作抑制構造も知られている。
このような閉動作抑制構造は、例えばランナーまたは引き戸側に設けられたベース部と、ベース部に対して引き戸開閉方向に移動可能に支持されたスライド部材と、スライド部内で横方向に延びる揺動軸の周りに揺動可能な揺動レバーと、スライド部材を引き戸開放側に付勢する付勢手段と、スライド部材の引き戸開放側への移動を抑制するダンパー部材と、を含んでいる。
揺動レバーの揺動軸は、スライド部材を貫通して、ベース部に設けられた引き戸開閉方向に延びるガイド溝に摺動可能に支持され、且つ揺動レバーの引き戸開放側に設けられた係合軸が、上記ガイド溝から分岐した係合溝内に進入して、揺動レバーが非揺動位置から揺動位置に揺動することにより、揺動レバーが引き戸開閉方向に関して係止される。
ここで、引き戸が閉鎖位置に近づいて、戸枠側に設けられたトリガーにより揺動レバーが揺動位置から非揺動位置に揺動すると、上記揺動レバーが上記トリガーに係合すると共に、上記係合軸が上記係合溝から上記ガイド溝内に移動し、上記ガイド溝に沿って移動可能となる。
そして、さらなる引き戸の閉鎖位置への移動により、揺動レバーは、トリガーにより上記ガイド溝を引き戸開放方向に相対的に移動し、その際、揺動レバーの移動がダンパー部材により制動される。従って、揺動レバーの引き戸開放方向への移動が低速となり、引き戸が閉鎖位置まで低速で移動することになる。
【０００６】
これに対して、特許文献１においては、その実施形態として引き戸用ランナー構造が、引き戸の閉鎖位置付近における制動構造を備えている。ランナー構造では、一端がフリーの状態で収容された引きバネが設けられ、この引きバネのフリー側の端部とガイドレールとの間において引戸の一方向のストローク途中からストローク終点までの間で引きバネのバネ力をスライド運動のアシスト力として引戸に加えるバネ力伝達機構が設けられている。そして、このばね伝達機構を介して、引き戸を閉める操作を行う際に、回動力が付与される。この構造では、ドアの閉鎖時においては、ガイドレール側に設けられた突起と、バネ伝達機構に設けられた突起とが係合した状態となっている。この状態からドアが開放方向へ操作されると、バネ伝達機構が突起同士の係合によって変移し、バネ伝達機構側の突起がバネ伝達機構に設けられた係合溝内に移動し、突起同士の係合状態が解除される。そして、再びドアの閉じ動作が行われると、突起が再度係合溝からガイド溝に向けて移動して、突起同士の係合がなされ、バネ力がガイドレール側の突起からの反力となって、閉じ方向へのアシストがなされる。
【先行技術文献】
【特許文献】
【０００７】
【特許文献１】特開２００５−３５０９１２号公報
【発明の概要】
【発明が解決しようとする課題】
【０００８】
しかしながら、前述した自閉式引き戸用の制動構造においては、係合溝は、ガイド溝に対してほぼ直角に延びており、この係合溝とガイド溝の接続部分がほぼ直角の角部を形成している。このような構成では、揺動レバー（突起）の回転中心がガイド位置とずれているなどの原因により、突起が係合溝から外れる時や、係合溝内に侵入する際に大きい音が生じることがあった。すなわち、揺動レバーの回転中心が係合溝の侵入口に対して、鋭角になっている分下にきてしまうため、侵入方向とは逆側に揺動レバーが大きく動いてしまい、ストロークが大きい分衝撃音が大きくなってしまう。
【０００９】
本発明は、以上の点に鑑み、簡単な構成により係合溝と、ガイド溝間での音の発生を抑制することができるようにした引き戸の開閉動作制御構造を提供することを目的としている。
【課題を解決するための手段】
【００１０】
上記目的は、本発明の構成によれば、戸枠または戸板の一方の上縁または下縁に設けられたガイドレールに沿ってガイド部材により長手方向に摺動可能に支持され引き戸の戸枠または戸板の他方の上端または下端側に設けられるユニット部材を有し、ユニット部材は、フレーム部材と、フレーム部材に設けられた長手方向に延びるガイド溝に沿って摺動可能であるスライド部材と、スライド部材内で、長手方向に対して垂直な横方向に延びる揺動軸の周りに揺動可能に支持される揺動レバーと、スライド部材を引き戸開放方向または閉鎖方向に付勢する付勢手段と、スライド部材の引き戸開放方向または閉鎖方向への移動を抑制する抑制部材と、を有しており、ガイド溝が上側または下側に分岐し且つ引き戸閉鎖または開放側に向かって斜めに延びる係合溝を備えていて、揺動レバーが、その揺動に伴って、揺動位置では係合溝内に係合し且つ非揺動位置では前記ガイド溝内に係合する係合軸と、揺動位置で引き戸の閉鎖または開放移動により、閉鎖位置または開放位置の手前で戸枠または戸板の一方に設けられたトリガーと当接して、揺動レバーを非揺動位置まで移動させる係合部と、非揺動位置でトリガーの引き戸閉鎖または開放側に係合する係合爪と、を備えており、引き戸の開放または閉鎖時には、揺動レバーが揺動位置に在って、スライド部材が引き戸閉鎖または開放側に係止されており、引き戸の閉鎖または開放時に、引き戸が閉鎖位置または開放位置付近に近づくと、トリガーが揺動レバーの係合爪に当たって、揺動レバーが非揺動位置まで揺動し、その揺動軸が係合溝からガイド溝に脱出し、揺動レバーの係合部がトリガーの引き戸閉鎖または開放側に係合して、戸枠側に固定されることにより、揺動レバー及びスライド部材が引き戸の閉鎖または開放動作に伴ってガイド溝に沿って引き戸開放または閉鎖側に相対的に摺動し、その際、スライド部材が付勢手段により押動され且つ抑制部材により制動され、引き戸が閉鎖位置または開放位置まで低速で移動することを特徴とする、引き戸の開閉動作制御構造により、達成される。
【００１１】
上記構成によれば、引き戸の戸板は、戸枠に対して、その上部または下部において、ガイド部材がガイドレールに係合することにより、開閉可能に吊り下げられており、引き戸は、閉鎖位置または開放位置に移動して停止し、開口部が閉鎖または開放される。
ここで、引き戸の閉鎖または開放状態においては、揺動レバーが非揺動位置に在って、その係合爪がトリガーの引き戸閉鎖または開放側に係合することにより、揺動レバー及びスライド部材がガイド溝の引き戸開放または閉鎖側に移動した状態にある。
【００１２】
このような閉鎖位置または開放位置から引き戸が開放または閉鎖されると、引き戸の開方向または閉方向への移動に伴って、揺動レバーがトリガーに係合しているため、揺動レバー及びスライド部材がフレーム部材のガイド溝に沿って相対的に引き戸閉鎖または開放方向に摺動する。
そして、揺動レバーの揺動軸がガイド溝の引き戸閉鎖または開放側の端部に達して、さらに引き戸が開放または閉鎖されると、引き戸の開方向または閉方向への移動に伴って、揺動レバーの係合軸がガイド溝から係合溝内に進入し、揺動レバーが揺動位置まで揺動する。
このとき、係合溝がガイド溝に対して垂直ではなく引き戸閉鎖または開放方向に向かって斜めに延びていることから、係合溝とガイド溝との間の角部が９０度以上の鈍角である。これにより、揺動レバーの係合軸がガイド溝から係合溝にスムースに移行することが可能であり、音の発生を抑制することができるようになる。
これにより、揺動レバーの係合爪がトリガーから外れるので、揺動レバーはトリガーから解放され、さらなる引き戸の開方向または閉方向への移動を許すことになる。従って、引き戸は全開位置または任意の開放位置あるいは全閉位置または任意の閉鎖位置まで開放され得ることになる。
【００１３】
また引き戸を閉鎖または開放する際には、付勢手段の付勢力に抗して、引き戸が閉鎖方向または開放方向に移動される。
そして、引き戸が閉鎖位置または開放位置手前まで移動して、揺動位置に在る揺動レバーの係合部が、戸枠に設けられたトリガーに当たると、揺動レバーが非揺動位置まで揺動して、揺動レバーの係合爪がトリガーの引き戸閉鎖または開放側に係合して、揺動レバー、スライド部材が戸枠側に固定されると共に、揺動レバーの係合軸が係合溝から脱出してガイド溝内に移動する。
このとき、前述したように、係合溝がガイド溝に対して引き戸閉鎖または開放方向に向かって斜めに延びて、係合溝とガイド溝との間の角部が９０度以上の鈍角であるので、揺動レバーの係合軸が係合溝からガイド溝にスムースに移動することが可能であり、角部での音の発生が抑制される。
【００１４】
さらに、引き戸が閉鎖方向または開放方向に移動すると、この引き戸の移動に伴って、揺動レバー及びスライド部材は、戸枠側に対しては静止したままで、フレーム部材に対してガイド溝に沿って相対的に引き戸閉鎖または開放側に摺動する。
このとき、スライド部材は、付勢手段の付勢力に基づいて摺動するが、その速度は、抑制手段により制動されることによって、低速に保持される。
これにより、引き戸の閉鎖または開放の際には、引き戸が閉鎖位置または開放位置の手前まで高速で移動した後、引き戸が閉鎖位置または開放位置に近づくと、引き戸は、付勢手段により押動されると共に、抑制手段の制動によって低速に減速されて、閉鎖位置または開放位置まで移動する。
従って、引き戸が高速で閉鎖位置または開放位置に達することがなく、引き戸が戸枠に当たって大きな衝撃音が発生したり、あるいは付近に居る人が誤って手指を引き戸と戸枠の間に挟み込んでしまうようなことがない。
【００１５】
本発明による引き戸の開閉動作制御構造は、好ましくは、フレーム部材が、ガイド部材に対して一体的に取り付けられている。
この構成によれば、ガイド部材を引き戸に取り付けることによって、同時に開閉動作制御構造も引き戸に取り付けることができるので、本開閉動作制御構造の引き戸への組み付けが容易に且つ短時間で行なわれ得る。
【００１６】
本発明による引き戸の開閉動作制御構造は、好ましくは、係合部が、揺動軸より上側に配置されている。
この構成によれば、引き戸の閉鎖方向または開放方向への移動の際に、揺動レバーの係合部が戸枠側のトリガーに当たったとき、揺動レバーが確実に揺動することになる。
【００１７】
本発明による引き戸の開閉動作制御構造は、好ましくは、ガイド溝と係合溝の間の継ぎ目部分が湾曲して形成されている。
この構成によれば、揺動レバーが揺動位置から非揺動位置まで揺動する際に、揺動レバーの係合軸が係合溝からガイド溝により一層スムースに移行することが可能になる。
【００１８】
本発明による引き戸の開閉動作制御構造は、好ましくは、フレーム部材が、引き戸開放または閉鎖側の端部付近に、ガイドレール上を転動するガイドローラを備えている。
【００１９】
この構成によれば、ベース部が揺動レバーの揺動軸及びスライド部材の摺動範囲を含むように長手方向に長く構成されていても、ガイドローラがガイドレール上を転動することによって、引き戸の開閉動作に伴って、ベース部そして開閉動作制御構造が円滑にガイドされることになる。
【００２０】
また、本発明による引き戸の開閉動作制御構造は、好ましくは、前記ガイド溝と前記係合溝の間の継ぎ目部分の角度が鈍角に形成されている。また、本発明による引き戸の開閉動作制御構造は、好ましくは、前記揺動軸が、前記係合溝側に向けて付勢されている。
このようにして、本発明によれば、簡単な構成により、部品コスト及び組立コストを低く抑えることが可能であると共に、閉鎖位置または開放位置付近で引き戸を確実に制動して、閉鎖位置または開放位置まで確実に低速移動させることができるようにした引き戸の開閉動作制御構造を提供することができる。
【図面の簡単な説明】
【００２１】
【図１】本発明による引き戸の開閉動作制御構造の一実施形態を組み込んだ引き戸の全体構成を示す概略正面図である。
【図２】図１の引き戸に組み込まれた引き戸の開閉動作制御構造の引き戸開放時における構成を示す（Ａ）正面図及び（Ｂ）平面図である。
【図３】図２の引き戸の開閉動作制御構造を示す分解斜視図である。
【図４】図２の引き戸の開閉動作制御構造におけるフレーム部材のガイド溝及び係合溝を示す部分拡大図である。
【図５】図２の引き戸の開閉動作制御構造の詳細な構造を一部破断して示す部分拡大正面図である。
【図６】図２の引き戸の開閉動作制御構造の引き戸閉鎖時における正面図である。
【図７】図６の引き戸の開閉動作制御構造の詳細な構造を一部破断して示す部分拡大正面図である。
【図８】図２の引き戸の開閉動作制御構造の引き戸開放時及び引き戸閉鎖時を比較する正面図である。
【図９】図２の引き戸の開閉動作制御構造の引き戸閉鎖時の制動動作を順次に示す一部破断正面である。
【発明を実施するための形態】
【００２２】
図１は、本発明による引き戸の開閉動作制御構造の一実施形態を引き戸に組み込んだ状態を示している。
図１において、引き戸の開閉動作制御構造１０は、建物等に設けられた開口部の戸枠１１の上縁に設けられたガイドレール１２に沿って長手方向（Ｘ方向）に移動可能に支持された引き戸（戸板）１３の上縁に配置されたユニット部材２０により、構成されている。
ここで、引き戸１３は、その上縁両端付近に取り付けられたガイド部材１４、１４がガイドレール１２に沿って走行することにより、ガイドレール１２に沿って長手方向に移動すると共に、内蔵された自閉手段によって、閉鎖方向に付勢されている。
【００２３】
ガイドレール１２は、図２（Ａ）にて鎖線で示すように、例えば断面が中空の四角形として例えば長尺のアルミニウム材から構成されており、Ｚ方向下方が開放していると共に、長手方向に垂直な横方向（Ｙ方向）の両側の下縁が内側に折り返されることにより、その先端が上方を向いたレール部１２ａを形成している。
【００２４】
ガイド部材１４は、公知の構成であって、図２に示すように、引き戸１３の上縁両端付近にて引き戸１３の上縁に設けられた凹陥部１３ａ内に取り付けられる本体１４ａと、本体１４ａの上端から軸部１４ｂを介して上方に連結される支持部１４ｃに回転可能にＸ方向に隔置して取り付けられる二対の車輪１４ｄと、から構成されている。
支持部１４ｃは、軸部１４ｂの上端からＸ方向両側に向かって延びており、一側（図示の場合、右側）に突出部（図示せず）を備えている。
【００２５】
車輪１４ｄは、図２及び図５に示すように、支持部１４ｃのＸ方向両側に延びる部分で、Ｙ方向両側に配置されている。
車輪１４ｄの回転軸は、ガイドレール１２内の両側に延びるように、支持部１４ｃをＹ方向に貫通して配置されており、車輪１４ｄが、それぞれガイドレール１２内で対応するレール部１２ａに乗ることにより、引き戸１３の開閉に伴ってレール部１２ａ上を転動する。
【００２６】
ユニット部材２０は、図１に示すように、引き戸１３の上端に取り付けられる二つのガイド部材１４のうち、一方（図１にて左方）のガイド部材１４の支持部１４ｃの一端（図示の場合、右端）に一体的に取り付けられている。
【００２７】
ユニット部材２０は、図２〜図７に示すように、フレーム部材２１、スライド部材２２、揺動レバー２３、付勢手段としてのバネ２４及び抑制手段としてのダンパー部材２５を有している。
【００２８】
フレーム部材２１は、引き戸開放側、即ち図２にて左側に、凹陥部２１ａ（図３参照）を備えており、この凹陥部２１ａがガイド部材１４の支持部１４ｃの右端に設けられた突出部に係合することにより、支持部１４ｃに対して一体的に取り付けられ、固定ネジ２１ｅにより固定保持される。
【００２９】
フレーム部材２１は、底部及び長手方向両側に位置する両側壁を有しており、これら両側壁に設けられた長手方向（Ｘ方向）に延びるガイド溝２１ｂ（図４参照）により、後述する揺動レバー２３の揺動軸をＸ方向に摺動可能に且つ揺動可能に支持する。
ガイド溝２１ｂは、その引き戸開放側の端部（図２にて右端）までの長さが、後述するように引き戸１３の閉鎖位置までの移動により、揺動レバー２３の係合軸がガイド溝２１ｂの右端に当接しないように、選定されている。
ここで、フレーム部材２１は、図４に示すように、そのガイド溝２１ｂの引き戸閉鎖側の端部付近から上方に延びる係合溝２１ｃを有している。
この係合溝２１ｃは、揺動レバー２３の揺動軸がガイド溝２１ｂの引き戸閉鎖側の端部に位置するときの揺動レバー２３の係合軸に対応する位置で、ガイド溝２１ｂから分岐して、ガイド溝２１ｂの接続部分から引き戸閉鎖側に向かって斜め上方に延びている。
そして、ガイド溝２１ｂと係合溝２１ｃとの間の接続部分は、角部が湾曲して形成されている。望ましくは、ガイド溝２１ｂと係合溝２１ｃとの間の接続部分が、９０度以上の鈍角に形成されていることが望ましい。
【００３０】
フレーム部材２１は、引き戸開放側（図２にて右方）の端部付近に、左右一対のガイドローラ２１ｄを備えている。
これらガイドローラ２１ｄは、ガイド部材１４の車輪１４ｄと共に、ガイドレール１２のレール部１２ａに乗って、引き戸１３の開閉移動に伴って転動する。  
【００３１】
スライド部材２２は、フレーム部材２１の両側壁の間に配置され、後述するように揺動レバー２３の揺動軸がＹ方向に貫通する貫通孔２２ａを備えており、この揺動軸がフレーム部材のガイド溝２１ｂに沿って案内されることにより、フレーム部材２１内で長手方向（Ｘ方向）に摺動する。なお、揺動レバー２３の揺動軸は、係合溝２１ｃ側に向けて、弾性部材などによって付勢されていることが望ましい。このような付勢により、揺動レバー２３が、係合溝２３ｃからガイド溝２３ｂへと変移する際に、揺動軸がガイド溝２３ｂから遠ざかるような変移が抑制されるため、ガイド溝２３ｂとの境界部位に接触した際の、音の発生を一層抑制することができるようになる。
【００３２】
揺動レバー２３は、図２〜図４に示すように、スライド部材２２内に収容されており、揺動軸２３ａから長手方向両側に延びる二つのアーム部を有している。
ここで、揺動軸２３ａは、揺動レバー２３の長手方向中央付近で左右方向（Ｙ方向）に貫通する軸孔２３ｂ内に挿通され、さらに左右両側に突出して、フレーム部材２１のガイド溝２１ｂ内に嵌入している。
【００３３】
揺動レバー２３は、その軸孔２３ｂの引き戸１３とは反対側（図２（Ａ）にて上側）に突出した係合部２３ｃを有している。
この係合部２３ｃは、本閉動作抑制構造１０が引き戸１３の上端に取り付けられた状態で、ガイドレール１２内の上面近くまで延びている。
これに対して、戸枠側、図示の場合には、ガイドレール１２内の上面には、トリガー２６が取付ネジ２６ａにより取り付けられている。
ここで、トリガー２６は、引き戸１３の閉鎖位置より所定距離Ｄだけ手前の位置で、引き戸１３に取り付けられたユニット部材２０における揺動レバー２３の係合部２３ｃが当接する位置に配置されている。
また、トリガー２６は、その引き戸開放側（図２にて右方）に、傾斜部２６ｂを備えている。
トリガー２６は、例えば金属板のプレス等による折り曲げ加工により形成されており、引き戸開放側（図２にて右方）の端部を折り返すことにより、傾斜部２６ｂが形成される。
【００３４】
これにより、引き戸１３の閉鎖に伴って、ガイド部材１４及びユニット部材２０がガイドレール１２内を引き戸閉鎖側に移動する際に、図５に示すように、揺動レバー２３の係合部２３ｃがトリガー２６に当たって、揺動レバー２３が図２（Ａ）にて時計回りに揺動し、図６及び図７に示す位置まで揺動するようになっている。
【００３５】
また、揺動レバー２３は、その引き戸開放側（図２にて右方）の端部付近に、Ｙ方向に延びる軸孔２３ｄを有しており、この軸孔２３ｄ内には、係合軸２３ｅが挿通される。
係合軸２３ｅは、スライド部材２２に設けられたスロット２２ｂを貫通して、フレーム部材２１のガイド溝２１ｂまたは係合溝２１ｃ内に嵌入する。
スロット２２ｂは、貫通孔２２ａを中心とし且つ揺動軸２３ａ及び係合軸２３ｅの距離を半径とする円弧状に形成されており、揺動レバー２３の揺動軸２３ａを中心とする揺動の際に、揺動レバー２３の係合軸２３ｅを円滑にガイドする。
【００３６】
さらに、揺動レバー２３は、その引き戸閉鎖側（図２にて左方）の端部に、上方に突出する係合爪２３ｆを備えている。
この係合爪２３ｆは、揺動レバー２３が図２にて時計回りに、図６及び図７に示す非揺動位置まで揺動したとき、ガイドレール１２内の上面付近にまで上方移動して、後述するようにトリガー２６の引き戸閉鎖側に係合するようになっている。
【００３７】
このようにして、揺動レバー２３は、図２（Ａ）及び図５に示す揺動位置から、図６及び図７に示す非揺動位置まで、時計回りに揺動する。
揺動位置においては、図５に詳細に示すように、揺動レバー２３の係合軸２３ｅがフレーム部材２１の係合溝２１ｃに係合していることにより、揺動レバー２３及びスライド部材２２は、フレーム部材２１に対して長手方向に移動しないように係止される。
また、非揺動位置においては、図７に詳細に示すように、揺動レバー２３の係合軸２３ｅがフレーム部材２１のガイド溝２１ｂ内に位置しているので、揺動レバー２３の揺動軸２３ａ及び係合軸２３ｅがガイド溝２１ｂに沿って移動することにより、揺動レバー２３及びスライド部材２２は、フレーム部材２１に対して長手方向に移動し得る。
【００３８】
ここで、引き戸１３が開放位置から閉鎖位置に向かって移動して、図８の下段に示すように、閉鎖位置から所定距離Ｄの位置に達するまでは、図２（Ａ）及び図５に示すように、揺動レバー２３は揺動位置に在って、揺動レバー２３及びスライド部材２２は、フレーム部材２１、ユニット部材２０そして引き戸１３と一体的に移動する。
そして、引き戸１３がこの位置からさらに閉鎖方向に移動すると、引き戸１３の閉鎖方向への移動に伴って、揺動レバー２３の係合部２３ｃがトリガー２６に当接し、相対的に揺動レバー２３の係合部２３ｃが引き戸１３の開放方向に押動され、揺動レバー２３が揺動軸２３ａの周りに時計回りに揺動して、非揺動位置に達すると共に、揺動レバー２３の係合爪２３ｆがトリガー２６の引き戸閉鎖側に係合する。
さらに、引き戸１３が閉鎖方向に移動すると、係合爪２３ｆがトリガー２６に係合していることにより、揺動レバー２３及びスライド部材２２はフレーム部材２１に対して相対的に引き戸開放側に向かって摺動し、引き戸１３が閉鎖位置に達すると、図８の上段に示すように、揺動レバー２３の係合軸２３ｅは、ガイド溝２１ｂの右端付近まで移動し、引き戸１３が戸枠に当たって、閉鎖位置で停止する。
【００３９】
付勢部材としてのバネ２４は、フレーム部材２１内において、引き戸開放側（図２にて右方）の端部と、スライド部材２２の引き戸開放側の端部との間に張架された引張りバネであって、スライド部材２２をフレーム部材２１内で引き戸開放側に付勢する。
【００４０】
抑制部材としてのダンパー部材２５は、公知の構成であって、本体部２５ａと、本体部２５ａに対して入れ子式に移動可能である可動部２５ｂとから構成されており、可動部２５ｂが本体部２５ａに対して移動しようとするとき、その移動が抑制され、減速されるようになっている。
そして、ダンパー部材２５は、フレーム部材２１内において、その本体部２５ａの引き戸開放側（図２にて右方）の端部２５ｃがフレーム部材２１の右端に取り付けられると共に、可動部２５ｂの先端２５ｄがスライド部材２２の取付部２２ｃに係合している。
【００４１】
本発明による引き戸の開閉動作制御構造１０は、以上のように構成されており、以下のように動作する。
まず、引き戸１３の開放状態（より詳細には、引き戸１３の左端が戸枠から所定距離Ｄ以上離れている状態）においては、図２（Ａ）、図５に示すように、揺動レバー２３が揺動位置に在って、その係合軸２３ｅが係合溝２１ｃに係合している。これにより、揺動レバー２３及びスライド部材２２は、フレーム部材２１に対して長手方向に移動しないように係止されている。
従って、引き戸１３の開閉移動に伴って、揺動レバー２３は、フレーム部材２１と一体的に長手方向（Ｘ方向）に移動し、その際、バネ２４及びダンパー部材２５は作用せず、制動作用は発生しない。このため、引き戸１３は、内蔵された自閉のための手段のみによって閉鎖方向に付勢されている。
【００４２】
そして、引き戸１３が内蔵された自閉手段によって引き戸閉鎖方向（Ｘ２方向）に移動することにより、閉鎖位置から所定距離Ｄだけ手前の位置に達すると、図９（Ａ）に示すように、揺動位置に在る揺動レバー２３の係合部２３ｃがトリガー２６に当接する。
さらに、引き戸１３が引き戸閉鎖方向（Ｘ２方向）に移動すると、図９（Ｂ）に示すように、トリガー２６が揺動レバー２３の係合部２３ｃを相対的に引き戸開放方向（Ｘ１方向）に向かって押動する。
これにより、揺動レバー２３は、揺動軸２３ａの周りに時計回りに揺動し、図９（Ｃ）に示すように、その係合軸２３ｅがフレーム部材２１の係合溝２１ｃからガイド溝２３ｂ内に移動する。
同時に、揺動レバー２３の揺動により、揺動レバー２３の係合爪２３ｆが上方に移動して、トリガー２６の引き戸閉鎖側に係合する。
【００４３】
このとき、揺動レバー２３は、揺動位置では、その係合軸２３ｅが揺動軸２３ａより上方に位置しており、非揺動位置まで揺動する際には、係合軸２３ｅは揺動軸２３ａを中心として揺動するので、係合軸２３ｅは、揺動位置から非揺動位置まで、長手方向（Ｘ方向）に関して引き戸開放側にずれることになる。従って、係合溝２１ｃの傾斜方向に対応して係合軸２３ｅが移動するので、係合軸２３ｅは係合溝２１ｃに沿って円滑に摺動することになる。
従って、ガイド溝２１ｂと係合溝２１ｃの間の角部が湾曲し、かつ角度が鈍角となっていることと相まって、係合軸２３ｅが係合溝２１ｃの途中あるいは係合溝２１ｃとガイド溝２１ｂの間の角部で引っ掛かってしまうようなことはない。
【００４４】
さらに、引き戸１３が引き戸閉鎖方向（Ｘ２方向）に移動すると、図９（Ｄ）に示すように、揺動レバー２３の係合爪２３ｆがトリガー２６に係合していることにより、揺動レバー２３そしてスライド部材２２は、そのままの位置を保持しつつ、相対的にフレーム部材２１に対して、ガイド溝２１ｂに沿って引き戸開放方向（Ｘ１方向）に移動する。
このとき、スライド部材２２は、バネ２４の張力により引き戸開放側に向かって付勢されると共に、ダンパー部材２５により、その移動が抑制される。これにより、スライド部材２２は、バネ２４により確実に閉鎖位置まで移動することになると共に、スライド部材２２のフレーム部材２１に対する移動が低速となる。
【００４５】
最後に、引き戸１３が閉鎖位置まで移動すると、図９（Ｅ）に示すように、引き戸１３の左端が戸枠１１に当接するが、引き戸１３の移動速度が低速であることから、引き戸の閉鎖時における指挟み等が発生したとしても、引き戸による衝撃が小さくなると共に、引き戸が戸枠に当たる衝撃音も小さくなる。
このとき、揺動レバー２３の係合軸２３ｅは、フレーム部材２１のガイド溝２１ｂの右端まで達せず、従って、係合軸２３ｅのガイド溝２１ｂ内での移動が、ガイド溝２１ｂの右端により規制されるようなことはない。
【００４６】
このようにして、引き戸１３の自動的な閉鎖の際に、引き戸１３が閉鎖位置に近づいたとき、揺動レバー２３が揺動位置から非揺動位置に揺動し、揺動レバー２３及びスライド部材２２がフレーム部材２１内を引き戸開放側に摺動し、その際ダンパー部材２５により減速されることにより、引き戸１３の閉鎖時における指挟み等が発生したとしても、引き戸１３による衝撃が小さくなる。また、揺動レバー２３自体も係合溝２１ｃとガイド溝２１ｂとの間を変移する際においても、その境界での移動が円滑に行われることから、揺動レバー２３に起因する音の発生も抑制することができるようになる。
【００４７】
本発明はその趣旨を逸脱しない範囲において様々な形態で実施することができる。
例えば、上述した実施形態においては、付勢手段としてバネ２４を備えているが、これに限らず、他の付勢手段であってもよい。
【００４８】
上述した実施形態においては、抑制手段として、ダンパー部材２５を備えているが、これに限らず、他の抑制手段であってもよい。
【００４９】
上述した実施形態においては、本引き戸の開閉動作制御構造１０を自動式引き戸に組み込んだ場合について説明したが、これに限らず、自閉式でない手動式引き戸に本発明を適用することも可能であることは明らかである。
【００５０】
また、上述した実施形態においては、戸枠１１の上縁にガイドレール１２が取り付けられて、引き戸１３の上端にガイド部材及びユニット部材が取り付けられているが、これに限らず、戸枠１１の下縁にガイドレールが取り付けられて、引き戸１３の下端にガイド部材及びユニット部材が取り付けられていてもよい。
【００５１】
さらに、上述した実施形態においては、戸枠側にガイドレールが取り付けられ、引き戸側にガイド部材及びユニット部材が取り付けられているが、これに限らず、引き戸側にガイドレールが取り付けられ、戸枠側にガイド部材及びユニット部材が取り付けられていてもよい。
【００５２】
また、上述した実施形態においては、本引き戸の開閉動作制御構造１０は、引き戸１３の閉鎖時に、閉鎖位置付近で引き戸１３を制動しつつ閉鎖位置まで確実に移動させるようになっているが、これに限らず、引き戸１３の開放時に、開放位置付近で引き戸１３を制動しつつ開放位置まで確実に移動させることも可能である。
この場合、ガイドレール１２及び引き戸１３に対して、それぞれ引き戸１３の開閉方向に関して逆向きにトリガー２６及びユニット部材２０を取り付けることにより、引き戸開放時の制御動作が実現可能である。
【００５３】
以上述べたように、本発明によれば、簡単な構成により、閉鎖位置または開放位置付近で引き戸を制動して、閉鎖位置または開放位置まで確実に低速移動させることができるようにした、極めて優れた引き戸の開閉動作制御構造が提供される。
【符号の説明】
【００５４】
１０    引き戸の開閉動作制御構造
１１    戸枠
１２    ガイドレール
１３    引き戸（戸板）
１４    ガイド部材
２０    ユニット部材
２１    フレーム部材
２１ｂ  ガイド溝
２１ｃ  係合溝
２２    スライド部材
２３    揺動レバー
２３ａ  揺動軸
２３ｃ  係合部
２３ｅ  係合軸
２３ｆ  係合爪
２４    バネ（付勢手段）
２５    ダンパー部材（抑制手段）
２６    トリガー
【図１】
2016142031.tif 000003
【図２】
2016142031.tif 000004
【図３】
2016142031.tif 000005
【図４】
2016142031.tif 000006
【図５】
2016142031.tif 000007
【図６】
2016142031.tif 000008
【図７】
2016142031.tif 000009
【図８】
2016142031.tif 000010
【図９】
2016142031.tif 000011